(57)【要約】【課題】ディスク回転時における騒音を抑制することができるディスクトレイおよびディスク装置を提供すること。【解決手段】光ディスクＤを載置する載置面２の凹部２ｂの外周に位置する外周壁２ａに配置され、光ディスクＤを載置面２の凹部２ｂに保つ規制つめ３と対向するとともに、載置面２からこの載置面２の裏側の面であるコア側面６まで貫通する貫通孔４が形成されたディスクトレイ１に、この貫通孔４から光ディスクＤの回転方向Ａにおける光ディスクＤの接線方向Ｆに向かってコア側面６にリブ５を形成する。貫通孔４から放出された気体は、リブ５に沿ってコア側面６上を流れる。【選択図】        図７
2006107604.tif 000002
【特許請求の範囲】
【請求項１】
ディスクを載置する凹部を備えた載置面と、
前記凹部の外周に位置する外周壁に配置されるとともに、前記ディスクの移動を規制する規制つめと、
前記規制つめと対向するとともに、前記載置面から当該載置面の裏側の面まで貫通する貫通孔と、
前記貫通孔から前記ディスクの接線方向に向かうように、前記載置面の裏側の面に形成されるリブと、
を備えることを特徴とするディスクトレイ。
【請求項２】
前記リブは、前記ディスクの接線方向に対して当該ディスクの径方向外方へ広がるように形成されてなることを特徴とする請求項１に記載のディスクトレイ。
【請求項３】
前記リブは、前記ディスクの接線方向に向かうとともに、その高さが次第に低くなることを特徴とする請求項１または２に記載のディスクトレイ。
【請求項４】
少なくとも前記請求項１〜３のいずれか１項に記載のディスクトレイと、
前記ディスクトレイを搬送するトレイ駆動手段と、
前記ディスクトレイの載置面に載置されたディスクを回転させるディスク回転駆動手段と、
前記ディスクに情報を記録あるいは記録された情報を再生する再生手段と、
を備えることを特徴とするディスク装置。
【発明の詳細な説明】
【技術分野】
【０００１】
本発明は、ディスクトレイおよびディスク装置に関し、さらに詳しくは、ディスクを搬送するディスクトレイおよびこのディスクトレイにより搬送されたディスクを回転駆動するディスク装置に関するものである。
【背景技術】
【０００２】
従来、ＤＶＤ（Digital Versatile Disk）やＣＤ（Compact Disk）などの光ディスクを回転駆動させる装置として、特許文献１に示すようなディスク装置が提案されている。この特許文献１に示す従来のディスク装置は、ケース体内に枠体が設けられている。この枠体には、光ディスクを回転させるディスク回転駆動手段と、光ディスクに情報を記録あるいは記録された情報を再生する光ピックアップを有した再生手段と、この再生手段を光ディスクに対して相対的に移動させる移動手段とが配設されている。また、この枠体には、ケース体の一面から進退可能に移動する（ディスク装置外からディスク装置内に光ディスクを搬送する）ディスクトレイと、冷却ファンとが配設されている。このディスクトレイは、図示しないトレイ駆動手段により駆動される。
【０００３】
ここで、ディスク装置は、単独、あるいはこのディスク装置の機能（ディスクに情報を記録あるいは記録された情報を再生する機能）を必要とする１つの装置に内蔵された状態で設置場所に設置される。この際、このディスク装置は、設置場所のスペースや、内蔵される装置内のスペースに応じて、横置き状態あるいは縦置き状態で設置されることとなる。
【０００４】
図１（ａ）は、従来の別部品である規制つめをディスクトレイに装着する前の状態を示す図である。図１（ｂ）は、従来の別部品である規制つめをディスクトレイに装着した状態を示す図である。図２は、従来の規制つめが一体に成形されたディスクトレイの構成例を示す図である。図１および図２に示すように、ディスク装置が横置き状態で設置される場合、ディスクトレイ１００の図示しない光ディスクが載置される載置面１０１は、設置場所の鉛直方向と直交する。従って、載置面１０１に光ディスクを載置するとこの光ディスクは自重により載置面１０１と接触した状態を維持するため、光ディスクが載置面１０１上に保持される。
【０００５】
一方、ディスク装置が縦置き状態で設置される場合、ディスクトレイ１００の載置面１０１は、設置場所の鉛直方向と平行となる。従って、載置面１０１に載置される光ディスクが、その自重により、この載置面１０１から脱落する虞がある。つまり、ディスク装置が縦置き状態で設置される場合は、載置面１０１に光ディスクを保持することが困難となる。つまり、光ディスクを載置面１０１上に保持するため、光ディスクの移動を所定の位置にて規制する部材が必要となる。そのためこの載置面１０１の外周に規制つめ１０２が配置されている。
【０００６】
ここで、規制つめ１０２をディスクトレイ１００に設ける方法は、図１に示すように規制つめ１０２をディスクトレイ１００と別部品として形成する方法と、あるいは図２に示すように規制つめ１０２をディスクトレイ１００と一体に成形する方法とがある。別部品として規制つめ１０２をディスクトレイ１００に設ける場合は、図１（ａ）に示すように、まずディスクトレイ１００を成形する金型により、規制つめ１０２が設けられる載置面１０１の外周１０１ａより外側の箇所に挿入孔１０３を形成する。そして、図１（ｂ）に示すように、予め成形された規制つめ１０２をこの挿入孔１０３に挿入、固定することとなる。
【０００７】
一方、規制つめ１０２をディスクトレイ１００と一体に設ける場合は、図２に示すように、ディスクトレイ１００の載置面１０１の裏側の面側を成形する金型を載置面１０１まで突出させることで規制つめ１０２を成形する必要がある。従って、成形されたディスクトレイ１００には、規制つめ１０２に対向する載置面１０１の外周壁１０１ａより内側の箇所、すなわち載置面１０１の底部１０１ｂにこの載置面１０１から図示しない裏側の面まで貫通する貫通孔１０４が形成されることとなる。
【０００８】
上記図１に示すように、規制つめ１０２をディスクトレイ１００と別部品として形成する場合は、別部品である規制つめ１０２により挿入孔１０３を塞ぎ、図２に示すように貫通孔１０４が露出した状態とならず、外観上好ましい。しかしながら、規制つめ１０２が一体に成形されたディスクトレイ１００と比較して、別部品で規制つめ１０２を形成する必要があるため、製造時間、製造コストなどが増加するという問題がある。そこで、規制つめ１０２が設けられたディスクトレイ１００は、上記図２に示すように、規制つめ１０２が一体に成形されているものが好ましい。
【０００９】
【特許文献１】特開２００３−１０００６９号公報
【発明の開示】
【発明が解決しようとする課題】
【００１０】
ところで、ディスク装置では、光ディスクに対する再生速度および記録速度の高速化の要望に伴い、ディスク回転駆動手段によるこの光ディスクの回転速度の上昇が行われているが、このディスクの回転速度の上昇に伴う風切り音などの騒音が問題となっている。図３は、ディスク回転時におけるディスク表面上の気体の流れを示す図である。同図に示すように、光ディスクＤが図示しないディスク回転駆動手段により回転すると、この光ディスクＤの表面Ｄｔ上にディスク装置内の空気などの気体の流れが生じる。具体的には、光ディスクＤの中心Ｄｃの気体がこの光ディスクＤの回転方向Ａに進みながら、光ディスクＤの外周端部Ｄｅまで流れる。つまり、光ディスクＤの表面Ｄｔ上の気体は、光ディスクＤの回転方向Ａに向う渦巻き状の流れＢとなり、載置面１０１の外周壁１０１ａに向かう流れとなる。
【００１１】
光ディスクＤの表面Ｄｔ上の気体は、外周端部Ｄｅに到達すると、この光ディスクＤの表面Ｄｔ上から離れ、載置面１０１を介して貫通孔１０４を通過し、ディスクトレイ１００の載置面側からこの載置面１０１の裏側の面側に放出される。ここで、気体が貫通孔１０４を通過する際に、この貫通孔１０４と干渉することで音が生じ、この生じた音により騒音が増大するという問題がある。
【００１２】
この発明は、上述した課題をその一例として解決するものであって、ディスク回転時における騒音を抑制することができるディスクトレイおよびディスク装置を提供することを目的とする。
【課題を解決するための手段】
【００１３】
本発明の請求項１に記載のディスクトレイは、ディスクを載置する凹部を備えた載置面と、前記凹部の外周に位置する外周壁に配置されるとともに、前記ディスクの移動を規制する規制つめと、前記規制つめと対向するとともに、前記載置面から当該載置面の裏側の面まで貫通する貫通孔と、前記貫通孔から前記ディスクの接線方向に向かうように、前記載置面の裏側の面に形成されるリブと、を備えることを特徴とする。
【００１４】
また、本発明の請求項４に記載のディスク装置は、少なくとも前記請求項１〜３のいずれか１項に記載のディスクトレイと、前記ディスクトレイを搬送するトレイ駆動手段と、前記ディスクトレイの載置面に載置されたディスクを回転させるディスク回転駆動手段と、前記ディスクに情報を記録あるいは記録された情報を再生する再生手段と、を備えることを特徴とする。
【発明を実施するための最良の形態】
【００１５】
以下、この発明につき図面を参照しつつ詳細に説明する。なお、実施の形態によりこの発明が限定されるものではない。また、下記実施の形態における構成要素には、当業者が容易に想定できるもの或いは実質的に同一のものが含まれる。ここで、以下に説明では、ＤＶＤやＣＤなどの光ディスクを対象とするディスクトレイおよびディスク装置について説明するが、この発明はこれに限定されるものはなく、磁気ディスク、光磁気ディスクなどの光や磁気などにより情報を再生あるいは記録可能ないずれのディスクを対象とすることができる。
【００１６】
（実施の形態）
図４は、この発明にかかるディスクトレイの構成例（載置面側一部）を示す図である。図５は、図４のＣ−Ｃ断面図である。図６は、この発明にかかるディスクトレイの裏面図（載置面の裏側の面）を示す図である。図７は、図６のＥ部分拡大図である。この発明にかかるディスクトレイ１は、光ディスクＤを回転駆動させることにより、この光ディスクＤに情報を記録あるいは記録された情報を再生するディスク装置に備えられるものである。
【００１７】
このディスク装置は、このディスクトレイ１の他に、少なくともトレイ駆動手段であるトレイ駆動装置と、ディスク回転駆動手段であるディスク回転駆動装置とが備えられる。トレイ駆動装置は、このディスクトレイ１に載置された光ディスクＤをこのディスク装置内外に搬送するものであり、モータなどにより構成されるものである。また、ディスク回転駆動装置は、このディスクトレイ１の後述する載置面２に載置された光ディスクＤを回転駆動させるものであり、スピンドルモータなどにより構成されるものである。ここで、このディスク装置は、さらに、光ディスクＤの情報を再生および／または光ディスクＤに情報を記録するディスク情報再生手段であるセンサ（対象が光ディスクである場合は光ピックアップセンサ）や、上記トレイ駆動装置、ディスク回転駆動装置、センサなどの駆動を制御する制御手段である制御装置を備えていても良い。
【００１８】
図４〜図７に示すように、この発明にかかるディスクトレイ１は、載置面２と、規制つめ３と、貫通孔４と、リブ５とにより構成されている。載置面２には、光ディスクＤを収容するために、載置される光ディスクＤの直径よりも若干大きい直径の円に基づく凹部２ｂが形成されている。
【００１９】
規制つめ３は、上記載置面２の凹部２ｂの外周に位置する外周壁２ａの複数箇所、例えばこの外周壁２ａに等間隔に４箇所、配置されるものである。この規制つめ３は、光ディスクの径方向内方、すなわち載置面２の図示しない中心に向かって、突出して形成されている。従って、光ディスクＤを載置面２の凹部２ｂに載置した際に、この光ディスクＤは、規制つめ３と載置面２との間に形成される間隙に位置することとなる（図５参照）。ここで、規制つめ３が光ディスクの径方向内方に突出する概ね１ｍｍ程度となるように設定されている。これにより、ディスクトレイ１を備えるディスク装置が縦置き状態で設置され、載置面２に載置された光ディスクＤがこのディスクトレイ１から脱落しようとしても、この光ディスクＤが規制つめ３により載置面２の凹部２ｂに保持されるため、光ディスクＤの脱落を抑制することができる。
【００２０】
貫通孔４は、この発明にかかるディスクトレイ１に規制つめ３を一体に設ける際に形成されるものである。ここで、ディスクトレイ１は、金型により成形される。この金型には、載置面側を成形するキャビティ側金型と、載置面２の裏側の面側を成形するコア面側金型とがある。規制つめ３を外周壁２ａから光ディスク径方向内方に向かって突出して成形するためには、コア側金型がキャビティ側に突出、すなわち載置面２より突出し、この規制つめ３の下面、すなわち載置面２と対向する面を成形することとなる。つまり、貫通孔４は、コア側金型がキャビティ側、すなわち載置面２の底部２ｂから突出することで形成される。従って、この貫通孔４は、規制つめ３と対向するとともに、載置面２からこの載置面２の裏側の面まで貫通する（図５参照）。
【００２１】
リブ５は、載置面２と対向するコア側面６、すなわち載置面２の裏側の面に形成されるものである。このリブ５は、コア側面６まで貫通する貫通孔４にそれぞれ対応して設けられている（図６参照）また、リブ５は、コア側面６に対してＬ字形状に形成されている（図７参照）。リブ５の一方の端部５ａは、貫通孔４の光ディスクＤの回転方向Ａと反対側の端部４ａに位置する。リブ５の他方の端部５ｂは、この貫通孔４から載置面２の凹部２ｂの外周に位置する外周壁２ａの接線方向である光ディスクＤの接線方向のうち、光ディスクＤの回転方向Ａにおける光ディスクＤの接線方向Ｆに向かったコア側面６上に位置する。つまり、リブ５は、貫通孔４から光ディスクＤの回転方向Ａにおける光ディスクＤの接線方向Ｆに向かって形成されている。なお、６ａは、図示しないトレイ駆動装置の駆動力をディスクトレイ１に伝達するラックである。
【００２２】
また、リブ５の他方の端部５ｂは、光ディスクＤの接線方向Ｆに向かうとともに、この光ディスクＤの接線方向Ｆに対して光ディスクＤの径方向外方Ｇに位置する。つまり、リブ５は、光ディスクＤの接線方向Ｆに向かうとともに、この光ディスクＤの接線方向Ｆに対して光ディスクＤの径方向外方Ｇへ広がるように形成されている。具体的に、例えば、図７に示すように、リブ５の一部分５ｃ（一方の端部５ａ近傍）が、光ディスクＤの接線方向Ｆに向かうとともに、この光ディスクＤの接線方向Ｆに対して光ディスクＤの径方向外方Ｇへ連続的に広がるように形成する。これにより、リブ５と光ディスクＤの接線方向Ｆと間の幅は、光ディスクＤの接線方向Ｆに向かうとともに広くなる。なお、このリブ５の最大高さは、コア側面６に成形された他の部分の高さよりも低くすることが好ましい。これにより、ディスクトレイ１がディスク装置内外に光ディスクＤを搬送する際に、このリブ５がディスク装置と干渉することを抑制することができる。
【００２３】
次に、光ディスクＤが回転駆動する際のこの発明にかかるディスクトレイ１の気体の流れについて説明する。まず、光ディスクＤをディスク装置内で回転駆動させるために、図示しないトレイ駆動装置により、この光ディスクＤが載置面２に載置されたディスクトレイ１をディスク装置内に搬送する。次に、図示しないディスク回転駆動装置がこの光ディスクＤまで移動し、光ディスクＤの図示しない中心孔と係合する。このディスク回転駆動装置がさらに移動することで、光ディスクＤは、載置面２の凹部２ｂから離れ、この載置面２と規制つめ３との間に浮いた状態となる。
【００２４】
次に、ディスク回転駆動装置が駆動することで、光ディスクＤは、回転方向Ａに回転する（図３参照）。光ディスクＤが回転することで、この光ディスクＤの表面Ｄｔ上の気体は、回転方向Ａに進みながら、光ディスクＤの中心Ｄｃから外周端部Ｄｅに向かって流れる。つまり、光ディスクＤの表面Ｄｔ上の気体の流れは、光ディスクＤの回転方向Ａに向う渦巻き状の流れＢとなり、載置面２の外周壁２ａに向かう流れとなる。
【００２５】
光ディスクＤの外周端部Ｄｅから離れた気体は、矢印Ｋに示すように、光ディスクＤの接線方向のうち、この光ディスクＤの回転方向Ａにおける接線方向に向かう流れとなる。この光ディスクＤから離れた気体の一部は、矢印Ｌのように、載置面２を介して貫通孔４に流入する（図５および図７参照）。
【００２６】
貫通孔４に流入した気体は、コア側面６、すなわち載置面２の裏側の面に放出され、矢印Ｍのように、リブ５に沿って、コア側面６上を流れることとなる。ここで、リブ５は、貫通孔４から光ディスクＤの接線方向Ｆに向かって形成されている。この光ディスクＤの接線方向Ｆは、光ディスクＤから離れた気体が流れる方向とほぼ同一の方向である。従って、光ディスクＤから載置面２に流出し、貫通孔４からコア側面６の放出された気体は、リブ５に沿ってスムーズに流れることができる。つまり、気体が載置面側からこの載置面２の裏側の面側にスムーズに放出されるため、貫通孔４と干渉することを抑制することができ、気体が貫通孔４と干渉することで生じる音を抑制することができる。これにより、ディスク回転時における騒音を抑制することができる。
【００２７】
また、リブ５は、光ディスクＤの接線方向Ｆに向かうとともに、この光ディスクＤの接線方向Ｆに対して光ディスクＤの径方向外方Ｇへ広がるように形成されるので、リブ５と光ディスクＤの接線方向Ｆとの間の幅は、光ディスクＤの接線方向Ｆに向かうとともに広くなり、リブ５に沿ってコア側面６上を気体が流れる空間は、光ディスクＤの接線方向Ｆに向かうにつれて大きくなる。従って、コア側面６に放出された気体の流速は、リブ５に沿って光ディスクＤの接線方向Ｆに向かうにつれて低下する。つまり、気体の流速は、コア側面６に放出された直後に貫通孔４を通過する際の流速に対して極端に低下せず、コア側面６をリブ５に沿って流れることで徐々に低下する。これにより、貫通孔４を通過する気体の圧力と、コア側面６に放出された直後の気体の圧力との差が極端に大きくならず、圧力差により生じる音を抑制することができ、光ディスクＤの回転時における騒音をさらに抑制することができる。
【００２８】
なお、上記実施の形態において、貫通孔４に流入する気体の流れをスムーズにすることで、載置面２から貫通孔４に流入する気体がこの貫通孔４と干渉することをさらに抑制することができる。図８は、ディスクトレイの他の構成例を示す図である。同図に示すように、貫通孔４の光ディスクＤの回転方向Ａと反対側に位置する端部４ａを載置面側からコア面側に向かって傾斜させる。これにより、気体は、矢印Ｎのように、載置面２を介して貫通孔４にスムーズに流入することができる。
【００２９】
また、上記実施の形態においては、リブ５が光ディスクＤの接線方向Ｆに向かうとともに、この光ディスクＤの接線方向Ｆに対して光ディスクＤの径方向外方Ｇへ広がるように形成されているが、この発明にこれに限定されるものではない。図９および図１０は、ディスクトレイの他の構成例を示す図である。図９および図１０に示すように、他方の端部５ｂが光ディスクＤの接線方向Ｆに対して光ディスクＤの径方向外方Ｇへ広がらず、光ディスクＤの接線方向Ｆに向かったコア側面６上に配置され、その高さＨ２が一方の端部５ａの高さＨ１よりも低くなるようにリブ５が形成されていても良い。例えば、リブ５は、光ディスクＤの接線方向Ｆに向かうとともに、その高さが次第に低くなるように形成されていても良い。
【００３０】
この場合、リブ５に沿ってコア側面６上を気体が流れる空間は、光ディスクＤの接線方向Ｆに向かうにつれて小さくなる。従って、矢印Ｐのように、リブ５に沿ってコア側面６上を流れる気体の流量は、光ディスクＤの接線方向Ｆに向かうにつれてリブ５に沿ってコア側面６上を気体が流れなくなるので低下する。つまり、リブ５に沿ってコア側面６上を流れる気体が、徐々に放出される。これにより、リブ５に沿ってコア側面６上を流れる気体の圧力と、リブ５から放出された気体との圧力との差が極端に大きくならず、圧力差により生じる音を抑制することができ、ディスク回転時における騒音をさらに抑制することができる。
【００３１】
以上のように、この実施の形態によれば、光ディスクＤを載置する載置面２（凹部２ｂを含む）と、載置面２の凹部２ｂの外周に位置する外周壁２ａに配置され、光ディスクＤを載置面２に保つ規制つめ３と、載置面軸方向に規制つめ３と対向するとともに、載置面２からこの載置面２の反対側の面であるコア側面６まで貫通する貫通孔４が形成されているディスクトレイ１に、貫通孔４から光ディスクＤの回転方向Ａにおける光ディスクＤの接線方向Ｆに向かってコア側面６に形成されるリブ５を備えるので、ディスク回転時における騒音を抑制することができる。
【００３２】
また、この実施の形態のディスクトレイ１を用いてディスク装置を構成するので、ディスク回転時における騒音を抑制することができる。
【図面の簡単な説明】
【００３３】
【図１（ａ）】従来の別部品である規制つめをディスクトレイに装着する前の状態を示す図である。
【図１（ｂ）】従来の別部品である規制つめをディスクトレイに装着した状態を示す図である。
【図２】従来の規制つめが一体に成形されたディスクトレイを示す図である。
【図３】ディスク回転時におけるディスク表面上の気体の流れを示す図である。
【図４】この発明にかかるディスクトレイの構成例（載置面の一部）を示す図である。
【図５】図４のＣ−Ｃ断面図である。
【図６】この発明にかかるディスクトレイの裏面図（載置面の反対側の面）を示す図である。
【図７】図６のＥ部分拡大図である。
【図８】ディスクトレイの他の構成例を示す図である。
【図９】ディスクトレイの他の構成例を示す図である。
【図１０】ディスクトレイの他の構成例を示す図である。
【符号の説明】
【００３４】
１  ディスクトレイ
２  載置面
２ａ  外周壁
２ｂ  凹部
３  規制つめ
４  貫通孔
５  リブ
６  コア側面（載置面２の裏側の面）
【図１（ａ）】
2006107604.tif 000003
【図１（ｂ）】
2006107604.tif 000004
【図２】
2006107604.tif 000005
【図３】
2006107604.tif 000006
【図４】
2006107604.tif 000007
【図５】
2006107604.tif 000008
【図６】
2006107604.tif 000009
【図７】
2006107604.tif 000010
【図８】
2006107604.tif 000011
【図９】
2006107604.tif 000012
【図１０】
2006107604.tif 000013